(57)【要約】【課題】多数のデータが衝突することによる閉塞効果を解消することのできる無線通信方法を提供する。【解決手段】下位端末から上位端末にデータのリレーを行う無線通信方法。上位端末に対する下位端末の接続可能数を決定する工程と、決定された接続可能数に基づき下位端末と上位端末との接続を行う工程と、接続された下位端末から上位端末に対して第１データを送信する工程と、上位の端末が下位端末から送信された第１データを受信する工程と、上位の端末が受信した第１データと上位端末が送信すべき第２データとを結合し結合データを生成する工程と、上位端末が結合データを更に上位端末に送信する工程と、を備える。【選択図】図５
2015198333.tif 000002
【特許請求の範囲】
【請求項１】
収集制御局を根とするツリー型のネットワークにおける無線送受信方法であって、
前記収集制御局を含む１以上の上位端末のそれぞれについてアソシエーション可能な下位端末の最大数である最大アソシエーション数を決定する工程と、
１以上の前記上位端末のそれぞれについて前記下位端末とのデータの送受信に用いる通信チャネルを決定する工程と、
前記最大アソシエーション数に基づき前記上位端末のそれぞれに対して１以上の前記下位端末がアソシエーションする工程と、
前記上位端末とアソシエーションする１以上の前記下位端末がそれぞれ１以上のデータを生成し、前記通信チャネルを用いて前記上位端末に送信する工程と、
前記上位端末が１以上の前記下位端末から送信されたデータを受信する工程と、
を備えるともに、前記上位端末よりも更に上位の端末が存在する場合には、
前記上位端末がデータを生成した場合には、前記上位端末が生成したデータと前記下位端末から受信した１以上のデータを結合し、前記上位端末がデータを生成しない場合には前記下位端末から受信した１以上のデータを結合する工程と、
前記上位端末が前記更に上位の端末に対し結合後の前記データを含む１以上のデータを、前記通信チャネルを用いて送信する工程と、
前記更に上位の端末が前記上位端末から送信されたデータを受信する工程と、
を備えることを特徴とする無線送受信方法。
【請求項２】
前記上位端末と前記下位端末とのアソシエーションは、アソシエーションを希望する前記下位端末から前記上位端末にアソシエーション希望を通知し、前記上位端末が前記下位端末を、前記アソシエーション希望を受信した順に前記最大アソシエーション数以下となるように承認することで行われることを特徴とする請求項１記載の無線通信方法。
【請求項３】
前記上位端末と前記下位端末とのアソシエーションは、アソシエーションを希望する前記下位端末から前記上位端末にアソシエーション希望を通知し、前記上位端末が前記下位端末を、前記アソシエーション希望の送信電力順に前記最大アソシエーション数以下となるように承認することで行われることを特徴とする請求項１記載の無線通信方法。
【請求項４】
前記上位端末と前記下位端末とのアソシエーションは、前記上位端末から前記下位端末に定期的に前記最大アソシエーション数と現在アソシエーションしている前記下位端末の数との差である現在アソシエーション可能な前記下位端末の数を通知し、現在アソシエーション可能な数が１以上である場合に前記通知を受けた前記下位端末が前記上位端末にアソシエーション希望を送信することで行われることを特徴とする請求項１乃至３の何れか１項記載の無線通信方法。
【請求項５】
前記最大アソシエーション数の決定は、予め前記上位端末側に前記最大アソシエーション数が設定されることで行われることを特徴とする請求項１乃至４の何れか１項記載の無線通信方法。
【請求項６】
前記最大アソシエーション数の決定は、前記下位の無線通信端末が前記第１データの容量を前記上位端末に通知し、前記上位端末が通知された前記第１データの容量の総和を所定の閾値以下となるように前記最大アソシエーション数を決定することで行われることを特徴とする請求項１乃至４の何れか１項記載の無線通信方法。
【発明の詳細な説明】
【技術分野】
【０００１】
本発明は、複数の無線端末を含む無線通信システムにおいて、多数のデータが衝突することによる閉塞効果を解消することのできる無線通信方法に関する。
【背景技術】
【０００２】
近年、ワイヤレスネットワークにおいて、小型で安価であり、かつ低出力のデジタル無線通信を行うことのできる、IEEE802.15.4の規格に準拠する通信デバイスが用いられている。
【０００３】
IEEE802.15.4の規格に準拠するネットワークでは、収集制御局であるＣＳ（Collection station）と、１つ以上のノードとにより構成されたツリー型のトポロジが採用されている。
【０００４】
ツリー型トポロジでは、下位のノードが、上位のノードやＣＳに向けて、必要に応じてデータを結合しながらデータをリレーすることが行われている。
【０００５】
こうしたデータのリレーにおいて、データの中継を行うノードに多数のデータが集中することで、データ間に衝突が発生し、データ収集の成功率が低下してしまうことがあった。
【０００６】
こうした問題を解消するため、リレーされる複数のデータを結合し、送信回数を減らすことで衝突頻度を低減することが行われていた（非特許文献１参照）。
【先行技術文献】
【非特許文献】
【０００７】
【非特許文献１】児島他、A Study on IEEE 802.15.4e Compliant Low-Power Multi-Hop SUN with Frame Aggregation, Proc. ICC2013, 2013年6月
【発明の概要】
【発明が解決しようとする課題】
【０００８】
上述したデータ結合により、送信時の閉塞は解消されるが、結合されたデータが多数のノードから同一のノードやＣＳに中継される場合には、結合されたデータ同士で衝突が発生し、やはり閉塞効果が生じてしまうという問題があった。
【０００９】
そこで、本発明は、上述した問題点に鑑みて案出されたものであり、送信側である下位端末に加えて受信側である上位端末においてもデータ同士の衝突を抑制し、閉塞効果が発生するのを効果的に防止することのできる無線通信方法を提供することを目的とする。
【課題を解決するための手段】
【００１０】
第１発明に係る無線通信方法は、収集制御局を根とするツリー型のネットワークにおける無線送受信方法であって、前記収集制御局を含む１以上の上位端末のそれぞれについてアソシエーション可能な下位端末の最大数である最大アソシエーション数を決定する工程と、１以上の前記上位端末のそれぞれについて前記下位端末とのデータの送受信に用いる通信チャネルを決定する工程と、前記最大アソシエーション数に基づき前記上位端末のそれぞれに対して１以上の前記下位端末がアソシエーションする工程と、前記上位端末とアソシエーションする１以上の前記下位端末がそれぞれ１以上のデータを生成し、前記通信チャネルを用いて前記上位端末に送信する工程と、前記上位端末が１以上の前記下位端末から送信されたデータを受信する工程と、を備えるともに、前記上位端末よりも更に上位の端末が存在する場合には、前記上位端末がデータを生成した場合には、前記上位端末が生成したデータと前記下位端末から受信した１以上のデータを結合し、前記上位端末がデータを生成しない場合には前記下位端末から受信した１以上のデータを結合する工程と、前記上位端末が前記更に上位の端末に対し結合後の前記データを含む１以上のデータを、前記通信チャネルを用いて送信する工程と、前記更に上位の端末が前記上位端末から送信されたデータを受信する工程と、を備えることを特徴とする。
【００１１】
第２発明に係る無線通信方法は、第１発明において、前記上位端末と前記下位端末とのアソシエーションは、アソシエーションを希望する前記下位端末から前記上位端末にアソシエーション希望を通知し、前記上位端末が前記下位端末を、前記アソシエーション希望を受信した順に前記最大アソシエーション数以下となるように承認することで行われることを特徴とする。
【００１２】
第３発明に係る無線通信方法は、第１発明において、前記上位端末と前記下位端末とのアソシエーションは、アソシエーションを希望する前記下位端末から前記上位端末にアソシエーション希望を通知し、前記上位端末が前記下位端末を、前記アソシエーション希望の送信電力順に前記最大アソシエーション数以下となるように承認することで行われることを特徴とする。
【００１３】
第４発明に係る無線通信方法は、第１乃至第３発明の何れか１つにおいて、前記上位端末と前記下位端末とのアソシエーションは、前記上位端末から前記下位端末に定期的に前記最大アソシエーション数と現在アソシエーションしている前記下位端末の数との差である現在アソシエーション可能な前記下位端末の数を通知し、現在アソシエーション可能な数が１以上である場合に前記通知を受けた前記下位端末が前記上位端末にアソシエーション希望を送信することで行われることを特徴とする。
【００１４】
第５発明に係る無線通信方法は、第１乃至第４発明の何れか１つにおいて、前記最大アソシエーション数の決定は、予め前記上位端末側に前記最大アソシエーション数が設定されることで行われることを特徴とする。
【００１５】
第６発明に係る無線通信方法は、第１乃至第４発明の何れか１つにおいて、前記最大アソシエーション数の決定は、前記下位の無線通信端末が前記第１データの容量を前記上位端末に通知し、前記上位端末が通知された前記第１データの容量の総和を所定の閾値以下となるように前記最大アソシエーション数を決定することで行われることを特徴とする。
【発明の効果】
【００１６】
上述した構成からなる本発明によれば、送信側である下位端末に加えて受信側である上位端末においてもデータ同士の衝突を抑制し、閉塞効果が発生するのを効果的に防止することが可能となる。
【図面の簡単な説明】
【００１７】
【図１】本発明が適用される無線通信システムの例を示す模式図である。
【図２】実施形態に係るデータ送受信方法におけるネットワークトポロジーが構築される様子を示すシーケンスチャートである。
【図３】実施形態に係るデータ送受信方法におけるデータ中継の様子を示す図である。
【図４】実施形態に係る無線通信システムにおいてデータが結合される様子を示す模式図である。
【図５】実施形態に係る無線通信システムが本発明に係る無線通信方法を実行する様子について説明する、（ａ）は各メーターがデータをそのままリレーする様子を示す模式図、（ｂ）は上位のメーターがデータを結合してリレーする様子を示す模式図、（ｃ）は上位のメーターにアソシエーション可能な下位のメーターの数を制限するとともにデータを結合してリレーする様子を示す模式図である。
【発明を実施するための形態】
【００１８】
以下、本発明の実施の形態としての無線通信方法について詳細に説明する。
【００１９】
図１は、本発明が適用される無線通信システム１の例を示す模式図である。
【００２０】
無線通信システム１は、無線通信端末として、収集制御局ＣＳ（Collection Station）とメーターＭ１、メーターＭ２、メーターＭ３及びメーターＭ４の４つのメーターとにより構成されている。
【００２１】
収集制御局ＣＳは最上位のマスターデバイスであり、メーターＭ１及びＭ２は収集制御局ＣＳに対するスレイブデバイスとなり、メーターＭ３及びメーターＭ４は、メーターＭ１に対するスレイブデバイスとなる。
【００２２】
ここで、IEEE802.15.4の規格に準拠するネットワークは、大別すると、ＦＦＤ（Full Function Device）とＲＦＤ（Reduced Function Device）の２種類のデバイスから構成されている。
【００２３】
ＦＦＤは、本実施形態における収集制御局ＣＳ及びメーターＭ１に相当し、自らが属するパーソナルエリアネットワーク（ＰＡＮ）に加入しようとする新規デバイスに対するＰＡＮへの加入承認機能および他のデバイスとの通信において用いられるスーパーフレームや通信チャネル（周波数や時間）の定義機能を有する全機能搭載型デバイスである。
【００２４】
このようなＦＦＤのうち、各ネットワーク中に１つ存在し、ネットワーク全体のＩＤを決める機能を更に有するものを、ＰＡＮコーディネータといい、本実施形態においては収集制御局ＣＳがこれに相当する。
【００２５】
一方、ＲＦＤは、ＦＦＤが有する上記加入承認機能およびスーパーフレームの定義機能を有していないデバイスであり、これらの機能を有していない以外は、ＦＦＤと同じ機能を有する機能制限型デバイスである。本実施形態においては、メーターＭ２、Ｍ３及びＭ４がこれに相当する。
【００２６】
次に、この無線通信システム１におけるネットワークトポロジーの構築について説明する。図２は、実施形態に係るデータ送受信方法におけるネットワークトポロジーが構築される様子を示すシーケンスチャートである。
【００２７】
まず、収集制御局ＣＳの電源が投入され、収集制御局ＣＳがアクティブスキャンを行うことにより開始される（ステップＳ１）。
【００２８】
次に、収集制御局ＣＳは、ＰＡＮＩＤおよび自身のスーパーフレームを定義し、ＰＡＮを立ち上げる（ステップＳ２）。
【００２９】
次に、メーターＭ１の電源が投入され、メーターＭ１によるアクティブスキャンが行われる（ステップＳ３）。
【００３０】
メーターＭ１によるアクティブスキャンでは、まず、メーターＭ１が、スキャンリクエストをブロードキャストする（ステップＳ４）。
【００３１】
そして、メーターＭ１からブロードキャストされたスキャンリクエストの受信可能範囲内にあるＦＦＤである収集制御局ＣＳは、受信したスキャンリクエストに対する応答（スキャン応答）をメーターＭ１にユニキャストする（ステップＳ５）。
【００３２】
このスキャン応答には、収集制御局ＣＳに対してアソシエーション可能なメーターの最大数である最大アソシエーション数と、現在アソシエーションしているメーターの数との差である、現在アソシエーション可能なメーターの数についての情報が含まれている。最大アソシエーション数は予め収集制御局ＣＳに設定されている。
【００３３】
次に、メーターＭ１がこのスキャン応答を受信することで、メーターＭ１は収集制御局ＣＳを発見する。そして、現在収集制御局ＣＳにアソシエーション可能なメーターの数が０ではない場合には、収集制御局ＣＳが自機に対するマスターデバイスとなり得る可能性のあるデバイスであることを認識し、メーターＭ１のアクティブスキャンは終了する。
【００３４】
次に、メーターＭ１は、収集制御局ＣＳのＰＡＮへのアソシエーションを開始する（ステップＳ６）。
【００３５】
メーターＭ１のアソシエーションでは、まず、メーターＭ１は、マスターデバイスとなり得る収集制御局ＣＳに対して、アソシエーションリクエストをユニキャストする（ステップＳ７）。
【００３６】
次に、メーターＭ１からのアソシエーションリクエストを受信した収集制御局ＣＳは、予め自身に設定されている最大アソシエーション数と、現在接続されているメーターの数を比較し、現在アソシエーション可能なメーターの数を算出する。
【００３７】
現在アソシエーション可能なメーターの数が１以上の場合には、収集制御局ＣＳは、アソシエーション応答をメーターＭ１にユニキャストする（ステップＳ８）。現在アソシエーション可能なメーターの数が０の場合には、アソシエーション応答は送信されない。
【００３８】
アソシエーション応答が送信された場合には、これをメーターＭ１が受信することで、収集制御局ＣＳをマスターデバイスとするメーターＭ１のＰＡＮへのアソシエーションが完了する。
【００３９】
こうして収集制御局ＣＳとメーターＭ１との間でアソシエーションが完了することで、両者間でデータの送受信を行うことができる（ステップＳ９）。
【００４０】
次に、メーターＭ２の電源が投入され、メーターＭ２によるアクティブスキャンが行われる（ステップＳ１１）。
【００４１】
メーターＭ２によるアクティブスキャンでは、まず、メーターＭ２が、スキャンリクエストをブロードキャストする（ステップＳ１２）。
【００４２】
そして、メーターＭ２からブロードキャストされたスキャンリクエストの受信可能範囲にあるＦＦＤである収集制御局ＣＳとメーターＭ１は、スキャンリクエストを受信すると、スキャン応答をメーターＭ２にユニキャストする（ステップＳ１３）。
【００４３】
このスキャン応答にも、収集制御局ＣＳ又はメーターＭ１の最大アソシエーション数と、現在アソシエーションしているメーターの数との差である、現在アソシエーション可能なメーターの数についての情報が含まれている。メーターＭ１についても、予め最大アソシエーション数が設定されている。
【００４４】
メーターＭ２がこのスキャン応答を受信するとともに、現在収集制御局ＣＳ及びメーターＭ１にアソシエーション可能なメーターの数が０ではない場合には、メーターＭ２はマスターデバイスとなり得るデバイスとして収集制御局ＣＳとメーターＭ１を発見する。
【００４５】
マスターデバイスとなり得るデバイスが複数ある場合、デバイスは、所定の基準に基づきマスターデバイスとする優先度の高いデバイスの認識を行う。本実施形態においては、メーターＭ２は、マスターデバイスとなり得る２つのメーターのうち、収集制御局ＣＳがより優先度の高いデバイスであることを所定の基準に基づき認識する。こうしてメーターＭ２によるアクティブスキャンは終了する。
【００４６】
この優先度は、収集制御局ＣＳへの距離や、スキャンリクエストを発したデバイスからの距離、またはスキャン応答を送信した順番等の所定の基準に基づき決定される。本実施形態においては、収集制御局ＣＳへの距離に応じて優先度が決定され、収集制御局ＣＳ自身が最も優先度の高いデバイスとなっている。このように、優先度が所定の基準により決定されることで、迅速なＰＡＮの構築が可能となる。
【００４７】
次に、メーターＭ２は、収集制御局ＣＳのＰＡＮへのアソシエーションを開始する。
【００４８】
メーターＭ２のアソシエーションでは、まず、メーターＭ２は、上記優先度の高いデバイスである収集制御局ＣＳに、アソシエーションリクエストをユニキャストする（ステップＳ１５）。
【００４９】
次に、メーターＭ２からのアソシエーションリクエストを受信した収集制御局ＣＳは、予め自身に設定されている最大アソシエーション数と、現在接続されているメーターの数を比較する。
【００５０】
そして、現在アソシエーション可能なメーターの数が１以上の場合には、収集制御局ＣＳは、アソシエーション応答をメーターＭ２にユニキャストする（ステップＳ１６）。現在アソシエーション可能なメーターの数が０の場合には、アソシエーション応答は送信されない。
【００５１】
アソシエーション応答が送信された場合には、これをメーターＭ２が受信することで、収集制御局ＣＳをマスターデバイスとする、メーターＭ２のＰＡＮへのアソシエーションが完了する。
【００５２】
こうして収集制御局ＣＳとメーターＭ２との間ではアソシエーションが完了することで、両者間でデータの送受信を行うことができる（ステップＳ１７）。
【００５３】
次に、メーターＭ３の電源がそれぞれ投入され、メーターＭ３によるアクティブスキャンが行われる（ステップＳ２１）。
【００５４】
メーターＭ３のアクティブスキャンでは、まず、メーターＭ３が、スキャンリクエストをブロードキャストする（ステップＳ２２）。
【００５５】
そして、メーターＭ３からブロードキャストされたスキャンリクエストの受信可能範囲内にあるメーターＭ１は、スキャンリクエストを受信すると、スキャン応答をメーターＭ３にユニキャストする（ステップＳ２３）。
【００５６】
このスキャン応答にも、メーターＭ１に対してアソシエーション可能なメーターの最大数である最大アソシエーション数と、現在アソシエーションしているメーターの数との差である、現在アソシエーション可能なメーターの数についての情報が含まれている。
【００５７】
そして、メーターＭ３がこのスキャン応答を受信するとともに、現在メーターＭ１にアソシエーション可能なメーターの数が０ではない場合には、メーターＭ３はマスターデバイスとなり得るデバイスであるメーターＭ１を発見し、メーターＭ３のアクティブスキャンは終了する。
【００５８】
次に、メーターＭ３は、収集制御局ＣＳのＰＡＮへのアソシエーションを開始する。
【００５９】
メーターＭ３のアソシエーションでは、まず、メーターＭ３は、マスターデバイスとなり得るメーターＭ１に、アソシエーションリクエストをユニキャストする（ステップＳ２５）。
【００６０】
次に、メーターＭ３からのアソシエーションリクエストを受信したメーターＭ１は、予め自身に設定されている最大アソシエーション数と、現在接続されているメーターの数を比較する。
【００６１】
そして、現在アソシエーション可能なメーターの数が１以上の場合には、メーターＭ１は、アソシエーション応答をメーターＭ３にユニキャストする（ステップＳ２６）。現在アソシエーション可能なメーターの数が０の場合には、アソシエーション応答は送信されない。
【００６２】
アソシエーション応答が送信された場合には、これをメーターＭ３が受信することで、メーターＭ１をマスターデバイスとするメーターＭ３のＰＡＮへのアソシエーションが完了する。
【００６３】
こうしてメーターＭ１とメーターＭ３との間でそれぞれアソシエーションが完了することで、両者間のデータの送受信を行うことができる。メーターＭ１とメーターＭ４とのアソシエーションも、メーターＭ１とメーターＭ３とのアソシエーションと同様にして行われる。
【００６４】
上述した本実施形態では、上位の端末であるコーディネータは、先着順、すなわち先にアソシエーションリクエストを送信した下位端末であるメーターから順次最大アソシエーション数に至るまで接続を行う。
【００６５】
次に、本実施形態に係るデータ送受信方法における、データ中継の例について説明する。図３は、本実施形態に係るデータ送受信方法におけるデータ中継の様子を示す図である。
【００６６】
図３に示すように、本実施形態に係るデータ送受信方法では、マスターデバイスとしての収集制御局ＣＳと、これに対するスレイブデバイスとしてのメーターＭ１またはＭ２とのデータの送受信は、収集制御局ＣＳにより定められるスーパーフレームの他、これに定められる通信チャネル（周波数、時間）に従って行われる。
【００６７】
また、マスターデバイスとしてのメーターＭ１と、これに対するスレイブデバイスとしてのメーターＭ３またはＭ４とのデータの送受信は、メーターＭ１により定められるスーパーフレームの他、これに定められる通信チャネル（周波数、時間）に従って行われる。
【００６８】
上述した収集制御局ＣＳとメーターＭ１またはＭ２とのデータの送受信、およびメーターＭ１とスレイブデバイスとしてのメーターＭ３またはＭ４とのデータの送受信においては、アクティブ期間は、スーパーフレーム長（Superframe Duration、ＳＤ）として定義され、コンテンションアクセス期間（Contention Access Period、ＣＡＰ）と、コンテンションフリーアクセス期間（Contention Free Access Period、ＣＦＰ）とにより構成されている。
【００６９】
ＣＡＰは、マスターデバイスと、通信を行いうる全てのスレイブデバイスとの間で、情報の送受信が許可される期間である。
【００７０】
一方、ＣＦＰは、マスターデバイスが割り当てた唯一のスレイブデバイスに対してのみ、情報の送受信が許可される期間である。ＣＦＰ内では、各スレイブデバイスは、自らに割り当てられたスロットであるＧＴＳ（Guaranteed Time Slot）内においてのみマスターデバイスへの情報の送受信を行うことができる。
【００７１】
デバイス間のデータフレームの送受信は、全て上述したＣＡＰまたはＣＦＰ内でのみ行われる。
【００７２】
本実施形態に係るデータ送受信方法では、データフレームの送受信はＣＡＰ内で開始される一方、ＣＡＰ内で完了する必要は無く、データフレームの送受信がＣＡＰ内で完了しなかった場合、ＣＡＰ終了後もデータの送受信はその完了まで継続して行われる。
【００７３】
これにより、ＣＡＰを従来のデータ送受信方法よりも短くすることができるため、アクティブ期間を短くし、その分非アクティブ期間、すなわちデバイスがスリープモードでいられる期間を長くすることができるため、デバイスの電力消費を効果的に抑制することができる。
【００７４】
また、ビーコン間隔によるマスター・スレイブ間の同期の確立時にのみマスターデバイスからビーコン信号が送信され、同期が確立された後は、ビーコン信号の送信は停止される。
【００７５】
そのため、同期確立後の不要なビーコン信号の送受信による電力消費を効果的に抑制することができる。
【００７６】
なお、ビーコン信号の送信は、同期が保てなくなった場合等に、必要に応じて再開されるようにしてもよい。
【００７７】
次に、上述した無線通信システム１において行われるデータの結合について説明する。図４は、本実施形態に係る無線通信システム１においてデータが結合される様子を示す模式図である。
【００７８】
図４に示す無線通信システム１は、データが結合される様子を分かりやすく説明するため、図１に示す無線通信システム１と異なり、収集制御局ＣＳとメーターＭ１〜Ｍ１０の１０個のメーターとにより構成されている。メーターＭ１〜Ｍ１０がそれぞれ送信する自身の生成したデータは、メーターＭ１〜Ｍ１０と同じ番号、すなわちデータ１〜１０として示されている。
【００７９】
本実施形態に係るデータ送受信方法では、上述した第１の実施形態に係るデータ送受信方法において、最下位のメーターから収集制御局ＣＳに向けて順次データが中継、収集される度に、新たに同期部やヘッダ部を作成すると共に、これらのデータに各メーターからのペイロードが結合される。
【００８０】
これにより、同期部やヘッダ部などの冗長部を削減することができ、データ送受信に要する時間を削減することができる。
【００８１】
また、データ送受信に要する時間を削減することで、ＣＡＰ終了後にデータ送受信を行っているデバイスについてもより早くスリープモードにすることができ、電力の消費を抑制することができる。
【００８２】
次に、上述した無線通信システム１が、本発明に係る無線通信方法を実行する様子について説明する。
【００８３】
図５は、本実施形態に係る無線通信システム１が本発明に係る無線通信方法を実行する様子について説明する、（ａ）は各メーターがデータをそのままリレーする様子を示す模式図、（ｂ）は上位のメーターがデータを結合してリレーする様子を示す模式図、（ｃ）は上位のメーターにアソシエーション可能な下位のメーターの数を制限するとともにデータを結合してリレーする様子を示す模式図である。
【００８４】
図５（ａ）に示す状態では、収集制御局ＣＳに同時刻に多数のデータ１、２、３、４、５、６、７が送信されている。これらのデータは互いに衝突をしてしまい、閉塞効果が生じてしまう。
【００８５】
また、図５（ｂ）に示す状態では、上位のメーターにおいて下位のメーターから送信されたデータを結合することで、データの送信数は減るものの、まだ収集基地局ＣＳによる受信時に閉塞効果が発生している。
【００８６】
そこで、本発明では、図５（ｃ）に示すように、コーディネータとなる収集制御局ＣＳや上位のメーターへの下位のメーターの最大アソシエーション数を所定数以下に制限する制御が行われる。図５（ｃ）の例では、最大アソシエーション数を２としている。
【００８７】
そのため、収集制御局ＣＳに接続しうるメーターは２つのみとなり、図５（ｃ）ではメーターＭ１、Ｍ２の２つが接続している。
【００８８】
また、コーディネータとなり複数のメーターを接続するメーターのうち、メーターＭ１に接続しているのはメーターＭ４の１つのみ、メーターＭ２に接続しているのはメーターＭ３、Ｍ５の２つのみ、メーターＭ４に接続しているのはメーターＭ６、Ｍ７の２つのみとなっている。
【００８９】
更に、図５（ｃ）に示すように、下位のメーターから送信されたデータは上位のコーディネータにおいて結合される。これにより、上位のメーターが同時に受信するデータの数も削減することができる。
【００９０】
このように、下位のメーターから送信されたデータを上位のコーディネータが結合してリレーするとともに、コーディネータに接続しうる下位のメーターの数を制限することで、送信側である下位端末に加えて受信側である上位端末においてもデータ同士の衝突を抑制し、閉塞効果の発生を効果的に防止することができる。
【００９１】
なお、上述した実施形態においては、コーディネータと下位のメーターとの接続は、アソシエーションリクエストを送信したメーターから順に行われていた。
【００９２】
しかし、本発明においてはこれに限らず、アソシエーションリクエストの送信電力順にアソシエーション可能数に至るまで接続が行われるようにしてもよい。
【００９３】
また、上述した実施形態においては、最大アソシエーション数は上位の端末であるコーディネータ側において予め設定されていた。
【００９４】
しかし、本発明においてはこれに限らず、最大アソシエーション数の決定は、下位のメーターが自身から送信されるデータの容量を上位のコーディネータに通知し、コーディネータが各下位のメーターから通知されたデータの容量の総和が所定の閾値以下となるように最大アソシエーション数を決定することで行われてもよい。
【００９５】
また、上述した無線通信システム１において、中継を行う各メーターが自機でデータを生成しない場合には、下位のメーターから受信した１以上のデータの結合をし、それを更に上位のメーターに送信する態様としてもよい。また、各メーターが１度に生成し送信するデータの数は１つに限られず、２つ以上であってもよい。
【符号の説明】
【００９６】
１  無線通信システム
ＣＳ  収集制御局
Ｍ１、Ｍ２、Ｍ３、Ｍ４  メーター
Ｍ５、Ｍ６、Ｍ７、Ｍ８  メーター
【図１】
2015198333.tif 000003
【図２】
2015198333.tif 000004
【図３】
2015198333.tif 000005
【図４】
2015198333.tif 000006
【図５】
2015198333.tif 000007